(57)【要約】【目的】遊技機取付台枠に金属乃至合成樹脂を材料に成形される遊技機の外枠を釘の打付けによって固定することを可能にすると共に、釘の打直しに当って先の釘穴跡に再度打付けることのないようにした遊技機の取付構造を提供する。【構成】遊技機の外枠（１）を構成する上下の枠板（１ａ，１ｂ）には予め取付穴（７，８）を開設しておく。その一方、合成ゴム等所要の剛性と弾性を有する素材で釘打ち部材（９）を形成して該釘打ち部材（９）を前記取付穴（７，８）に嵌め付け、この釘打ち部材（９）に穿つ挿通孔（１５）を通して釘（１０）を遊技機取付台枠（１８）の上下の枠板（１９，２０）に打付けることで固定する。【選択図】図６
2008000377.tif 000002
【特許請求の範囲】
【請求項１】
遊技機の外枠を構成する上下の枠板に開設する取付穴に釘打ち部材を装着し、釘を該釘打ち部材を通して遊技機取付台枠に固定する遊技機の取付構造において、
前記釘打ち部材は所要の剛性と弾性を有する素材にしてその基体部の外形を前記取付穴の内形に適合させ、嵌合時に密着させる一方、該基体部の先端側外周縁に前記取付穴の縁部に係合し嵌合状態を保持する係止部を突出形成し、また該基体部には基端側端面から前記先端側の端面に向けて貫通する挿通孔を形成して該挿通孔に前記釘を通して前記遊技機の取付台枠に打付け固定することを特徴とした遊技機の取付構造。
【請求項２】
請求項１の記載において、釘打ち部材の基体部に形成される挿通孔は釘の軸径より小径であることを特徴とした遊技機の取付構造。
【請求項３】
請求項１又は２の記載において、釘打ち部材の基体部に形成される挿通孔は基体部の中心部を避けて１個又は相互に間隔を置いて配置される複数個であることを特徴とした遊技機の取付構造。
【請求項４】
請求項１乃至３の記載において、釘打ち部材は基体部の基端側から先端側までの長さを外枠を構成する枠板の板厚より長く形成し、該基体部を取付穴に嵌合したとき基端側端部を前記枠板の内側面から突き出る状態に保持することを特徴とした遊技機の取付構造。
【請求項５】
請求項１乃至４の記載において、釘打ち部材には基体部の基端側外周縁に先端側外周縁の係止部に対向して嵌合量を規制する鍔部を形成することを特徴とした遊技機の取付構造。
【請求項６】
請求項１乃至５の記載において、外枠を構成する上下の枠板に開設する取付穴は内面側から外面側に向けて拡径するテーパ形の透孔とする一方、該取付穴に嵌合する釘打ち部材の基体部の外形を前記テーパ形に適合した台形に形成することを特徴とした遊技機の取付構造。
【請求項７】
請求項１又４乃至６の記載において、外枠を構成する枠板に形成する取付穴は先端側の縁部に釘打ち部材の係合部を受け入れ係合する拡張段部を形成することを特徴とした遊技機の取付構造。
【請求項８】
請求項１の記載において、釘打ち部材の基体部には外周面に先端側に向けて先端部に外向きの係止爪を有する弾性係止片を一体に設けてなることを特徴とした遊技機の取付構造。
【発明の詳細な説明】
【技術分野】
【０００１】
本発明は、パチンコ遊技機等における外枠をパチンコホール等遊技場の取付台枠に取付けるための遊技機の外枠の取付構造に関する。
【背景技術】
【０００２】
パチンコ機やパチスロ機等の遊技機をホール（遊技場）に設置する場合、ホールに設備する取付台枠（一般に「島」と称される。）に遊技機の外枠を嵌め入れ、この外枠を釘を打付けて固定するのが普通である。
従来、外枠が木板で作られている場合は、台枠に嵌め入れた後、その上下の枠板の適当な位置に釘を打付けて台枠の上下の枠に固定し、設置するようにしているが、この外枠が直接釘を打付けるのが困難な場合、例えば合成樹脂材やアルミのダイキャストフレーム等からなる場合には適当な場所に釘を打って止め付けると言った木板による外枠の取付方をすることができない。
【０００３】
そこで、この様に釘を直接外枠に打付けることができない素材によって形成される場合の解決策として、外枠、特に上下の枠板に予め釘を通す挿通孔を穿ってこの挿通孔を通して釘を台枠の上下の枠に打付け、固定することが行われる。例えば特許文献１及び２がその例である。
【特許文献１】特開２００３−７１０６８号公報
【特許文献２】特開２００２−２８３３０号公報
【０００４】
これら特許文献１及び２に記載の解決策は、特許文献１における場合、上下の横枠杆２０，３０にそれぞれ杆の長手方向に沿って横長の釘穴２３，３７を形成し、この釘穴に止め付けの釘を通して打付けることで固定するものとしおり、また特許文献２においては同じく外枠の上枠部材１１と下枠部材１２にそれぞれ釘穴１７（２５，３５）を穿って、この釘穴１７（２５，３５）に釘を通し、島設備の取付台に打付けることによって固定するものとしている。このいずれの場合も枠板に予め釘穴を形成しておくことによって釘による止め付けを可能にしたものである。
【０００５】
しかし、枠板に穿つ釘穴に直接釘を通すことによって固定する構造は、固定したとき外枠がガタ付かないようにするためには、釘の頭部が枠板に当接するまで打付けるか、釘穴と釘の軸径とが一致し、相互の間に隙間ができないようにする必要がある。しかし、前者においては作業上の問題があり、後者においては釘穴の成形上の問題と釘の選択の問題があり、実用性に欠ける欠点がある。
【０００６】
この様なことから上記欠陥に鑑み、これを改善する方法として外枠を構成する天枠材２０、底枠材１８にそれぞれパーツ嵌合穴２６を穿ってこれに硬い材質で透光性を有する釘案内パーツ（釘打ちパーツ）２４を嵌め付け、止め付けの釘３６をこの釘案内パーツ２４を通して島枠６の下枠材１０、上枠材１４に打付け固定する方法が提案されている。例えば特許文献３及び４に記載される発明がその例である。
【特許文献３】特開２００４−１６６７２６号公報
【特許文献４】特開２００４−１６６７２７号公報
【０００７】
この釘打ちパーツを介して釘を打込む構造は、外枠の天枠材、底枠材に形成する穴に直接釘を通すことなく、穴に嵌め込む上記パーツを介して行うことから穴と釘の一致に重点を置く必要がなく、従って釘の軸径等を自由に選択できると言った利点がある。しかし、その反面外枠側に形成するパーツ嵌合穴に対して上記釘打ちパーツの装着が厄介なものとなり、製造上の問題に併せて取付けにおける作業性の面で問題が残るものとなっている。
特に、パーツ嵌合穴２６に対して釘打ちパーツ２４を装着する際、ビス穴２４ｃ，２６ｃにビス２８を揉み込み固定する構造は、外枠を量産する場合手数が掛かり、生産性を悪くする問題がある。
【発明の開示】
【発明が解決しようとする課題】
【０００８】
従って、本発明はパチンコ遊技機等における外枠を、釘の直接的打付けに適さない合成樹脂材や金属材で形成した場合において、この外枠を木製の外枠におけると同様に釘の打込みによって取付けを可能にした遊技機の取付構造を提供することにある。
更に言えば、この取付構造において、外枠に形成する取付穴に釘を通す釘打ち部材を装着し、この釘打ち部材を介して釘を遊技機の取付台枠に打付け固定するものにおいて、前記取付穴に対する釘打ち部材の装着を改善し、装着を容易且つ確実にすると共に、この釘打ち部材に釘を打込むことを通して上記装着状態を安定化し、更に前記取付台枠に対する固定を確実なものとする改善された遊技機の取付構造を提供しようとするものである。
【課題を解決するための手段】
【０００９】
本発明は、上記目的を達成するため、遊技機の外枠を構成する上下の枠板に開設する取付穴に釘打ち部材を装着し、釘を該釘打ち部材を通して遊技機の取付台枠に固定する遊技機の取付構造において、前記釘打ち部材は所要の剛性と弾性を有する素材にしてその基体部の外形を前記取付穴の内形に適合させ、嵌合時に密着させる一方、該基体部の先端側外周縁に前記取付穴の縁部に係合し嵌合状態を保持する係止部を突出形成し、また該基体部には基端側端面から前記先端側の端面に向けて貫通する挿通孔を形成して該挿通孔に前記釘を通して前記遊技機の取付台枠に打付け固定することを特徴とした遊技機の取付構造を提供することにある。
【００１０】
上記遊技機の外枠は、釘を直接打付けるのに不向きな合成樹脂や、アルミダイキャスト製品等の金属材を素材にしたものであって、この外枠の上下の枠板に開設される取付穴は外枠の成形時に予め成形しておくことになる。
そして、上記取付穴に対して嵌合される釘打ち部材は、嵌合した状態において枠板との一体性を図ることができるように好ましくはその基体部の外形を取付穴の内形に合せ、密着した状態で嵌り付けるように形成する。
【００１１】
この釘打ち部材の素材について、適度の剛性と弾性を有する素材とする点は、剛性については打付けた釘をしっかり保持し、外枠を確実に固定することにあり、また弾性については、取付穴に対する一体性、とりわけ、釘の打込みによって膨張させることで取付穴の内面に密着させて外枠との一体性を図ることにある。そして更にこの弾性については基体部を取付穴に嵌め込み装着する際に基体部の先端側周縁部に形成する係合部の通過を容易にすることにある。
【００１２】
基体部に形成される前記挿通孔は、釘の打込みを容易にすると同時に、打付けに当っての釘の仮係止を可能にして取付時における釘の打付け作業を容易にすることにある。
またこの挿通孔は使用する釘の軸径より小さな内径にして、釘を挿通する際には素材の弾性を利用して拡径させながら押込むことにして仮係止を可能にし、ある程度の深さに押込まれた釘を素材の反発力によって締め付け、簡単に抜け落ちない状態に仮係止させる。尚、この仮係止は工場から出荷する前の外枠の製造過程において行うこともでき、またホールにおける取付作業の前に行うこともできる。
【００１３】
ところで、本発明に係る外枠は、上下の枠板に前述したように取付穴を開設した状態で製造され、この取付穴に別体で形成する釘打ち部材を嵌め入れ装着することになるが、この装着に当っては基体部先端側の外周縁に形成する係止部を素材の弾性を利用して一旦縮径後退させ、前記取付穴の内側の開口から、つまり枠板の内面側の開口から無理に押し込んで装着し、取付穴の外側の縁に上記係合部を掛け止めることで装着状態を保つことになる。
この様にして取付穴に釘打ち部材を装着したところで外枠をホールの遊技機取付台枠に持込み、予め形成する取付部の上下の枠板間に収め、次に前記釘打ち部材の挿通孔を通して止め付けの釘を打付け、外枠の取付けを行うことになるのである。
【００１４】
この釘の打付けに当っては、一般に行われているように下の枠板側から止付け作業を行い、外枠の傾斜を確定したのち、上の枠板の止付けを行って取付台枠に対する取付を完了することになる。
止付けの釘は、挿通孔を案内に打込みに伴って釘打ち部材を貫通し、取付台枠の上下それぞれの枠板に打込まれることになるが、このとき釘が挿通孔に侵入することによって拡張することから前記基体部の外形が拡張し、これにより取付穴に対する密着を高めることになり、外枠との一体性を増すことになる。
【００１５】
尚、外枠の上下の枠板の止付けは、それぞれ左右２ヶ所の打付けで充分安定した固定が図れるが、上下いずれかの枠板の止付けを１ヶ所にしてもよく、また上下それぞれの枠板を２ヶ所以上で止付けるようにしてもよい。それぞれについては止付け箇所に応じて取付穴を形成して釘打ち部材を装着するようにすればよい。
【００１６】
以上の様に、取付穴に装着する釘打ち部材を介して釘止めされる外枠は、その素材に関係することなく木製の場合と全く同様に取付台枠に打付け固定することができると同時に、打込む釘は弾性を有した釘打ち部材を貫くことによって、しかも挿通孔を通すことによって真直に打込めるため作業が容易になり、確実な止め付けが行えることになる。
【００１７】
一方、本発明は、前記釘打ち部材の基体部に形成される挿通孔について、前記基体部の中心部を避けて１個又は相互に間隔を置いて複数個配置されることを特徴とした遊技機の取付構造を提供することにある。
【００１８】
上記挿通孔は、前述した通り、打付ける釘を仮係止するために利用される外に、釘の打込みを誘導するものとなる。このため、基体部の中心位置に形成されると、パチンコ機の交換に伴って釘の打ち直しをするとき、取付台枠の枠板の同一の位置、つまり先に打った釘の釘跡に釘を打付けることになり、緩んだ打付けとなる問題が生じる。
この発明は、この同一位置に釘を打込むことによって先の釘穴に再び打込み、釘の効きが悪くなるのを回避するものである。
基体部の中心位置から挿通孔の形成位置を外すことによって、取付穴に対する釘打ち部材の向きを基体部の軸心を中心にして回転させ変更させると、取付台の枠に先に形成された釘穴の位置と次に打込まれる釘の打込み位置とが変わることになることから確実な釘の効きを確保することができることになる。
【００１９】
また本発明は、前記釘打ち部材は基体部を外枠を構成する枠板の板厚より長く形成し、該基体部を取付穴に嵌合したとき、基端側端部を前記枠板の内面側から突き出る状態に保持することを特徴とした遊技機の取付構造を提供することにある。
【００２０】
この発明は、釘打ち部材の基体部の長さを枠板の板厚より大にすることによって、取付穴に装着したとき、上記基体部の基端側を枠板から浮き出た状態に保ち、これによって釘の打込み時にハンマーが直接枠板に衝突するのを回避することにある。
外枠が金属製、ことにアルミダイキャスト製であった場合、外枠の肉厚が強度限界の範囲で製造されることが多いことから、ハンマーによる打ち損じによって直接衝撃が加わると損傷する危険が高くなる。
本発明はこれに対応したもので、釘打ち部材の弾性を利用して衝撃を緩和すると共に、ハンマーによる直接的衝撃を回避することにある。
【００２１】
また本発明は、前記釘打ち部材には基体部の基端側外周に先端側外周の係止部に対向して嵌合量を規制する鍔部を形成することを特徴とした遊技機の取付構造を提供することにある。
上記鍔部は、取付穴に対する釘打ち部材の装着時に、枠板の内面側から押し入れたとき外面側に抜け出してしまわないためと、取付穴内に確実に止め置くためのもので、この鍔部は基端側外周縁の全周に亘り環状に形成されても、また環状の一部が欠落した複数の突起のものから形成されるものであってもよい。
【００２２】
また本発明は、前記外枠を構成する上下の枠板に開設する取付穴について、内面側から外面側に向けて拡径するテーパ形の透孔とし、また該取付穴に嵌合する釘打ち部材の基体部の外形を前記テーパ形に適合した台形、更に言えば円錐台形乃至角錐台形に形成することを特徴とした遊技機の取付構造を提供することにある。
この発明は、外枠に形成される取付穴に対する釘打ち部材の装着性を確実にすると共に、装着の作業性、更には遊技機の取付台枠に対する外枠の固定の安定性を図ったものである。
【００２３】
前述の様に取付穴に対する釘打ち部材の装着は、外枠の各枠板の内側から外側に向けて打込むことによって行われ、更にこの釘打ち部材は取付穴に止まることで釘の打付けの効果を発揮するものとなるものであり、取付穴に対する装着の容易性と、使用中における抜け出しの防止が求められ、取付穴に対して安定的に止っていることが求められる。
【００２４】
取付穴がテーパ形をなし、これに嵌合する釘打ち部材が角錐台形など台形状をなして装着によって両者が結合したとき、相互の面が密着することは上記の求めを満足するものとなる。ことに、取付穴の内面側の開口が広いことによって釘打ち部材の挿入が容易となることに併せて、この釘打ち部材に通した釘が取付台枠に引かれたときより密着度を強めて取付穴に係合し、安定化を増すことになる。
【００２５】
また一方、本発明は前記取付穴に関する変形例を提供するものである。更に詳しくは前記外枠を構成する枠板に形成する取付穴の先端側の縁部に釘打ち部材の係合部を受け入れ係合する拡張段部を形成することを特徴とした遊技機の取付構造を提供することにある。
前記取付穴に形成される拡張段部は、釘打ち部材の基体部の先端部が枠板の外面側に突き出すのを回避し、外枠を取付台枠内に持込む際に枠板との衝突によって脱落したり、或は外枠と取付台枠との間に無用の空隙ができるのを回避するために形成されるもので、釘打ち部材の係合部がこの段部に係合した状態において、好ましくは釘打ち部材の基体部の先端部が枠板の内側に埋没する深さに形成される。
【００２６】
また本発明は、前記釘打ち部材の基体部に外周面に先端側に向けて先端部に外向きの係止爪を有する弾性係止片を一体に設けてなることを特徴とした遊技機の取付構造を提供することにある。
上記弾性係止片は、取付穴に釘打ち部材を嵌め込んだとき、抜け止めとして機能するもので、基体部の基端側周面に基部を設けて基体部の先端側に向けて突き出し、その先端部には外に向けた係止爪を有する。
この弾性係止片は、係止部を補強するものとして併設しても、また係止部に代えて独立に形成してもよく、取付穴に挿入する際には素材の弾性を利用して先端部を縮径させ、貫いたところで復元拡張させて取付穴の外面側の縁、又は前記拡張段部を形成する場合はこれに掛止めることになる。
【００２７】
以上の如く構成される本発明取付構造は、金属或は合成樹脂材によって形成される外枠に予め穿っておく取付穴に対して、枠板の内面側から釘打ち部材を差し入れ、その先端側周面に設ける係止部を穴の縁、若しくは拡張段部の縁に掛け止めて装着する。
この装着は外枠を取付台枠に持ち込む前に行っておくことになるが、釘打ち部材は取付穴に押込むことによって係止部が穴の縁に掛け止められることから任意に脱落することがなく、外枠の持込みによって取付台枠に持込むことになる。
【００２８】
釘の打付けは、上下の枠板のいずれが先であってもよいが、外枠の傾きを調整する上から下の枠板から先に行い、傾き角度を調整したのち上の枠板を取付台枠の上枠に釘止めすることになる。
このとき、止付けの釘は、釘打ち部材の挿通孔に釘の先端を押込んで仮係止状態に保持し、頭部を基体部の基端側端面から起立した状態に保持する。
従って、上記打込みに際しては釘を支えることなくそのまゝハンマーで叩打することができ、しかも釘は挿通孔に案内され真直に取付台枠に打付けることができる。
そして、打込まれる釘によって挿通孔が押し広げられることから基体部は釘の侵入に伴って拡張し、その周面を取付穴の内壁に密着させ一体性を高めることになる。
【００２９】
尚、外枠の再使用によって取付台枠に再度取付ける場合は、同一位置に釘を打込むのを回避するため基体部に１個の挿通孔を形成するものにおいては取付穴に対する向きを変えることによって、また複数個の取付穴を形成するものにおいては、使用しなかった他の挿通孔を選択してこれに釘を通し取付台枠に先に形成された釘穴跡に再び釘を打込むのを回避することになる。
【発明の効果】
【００３０】
本発明は上記の如く構成され使用されるもので、前記外枠の取付穴に対して釘打ち部材の装着が容易であり、しかも単なる押込みによって係止できることから安定した装着が得られ、外枠の釘打ち込み作業中に脱落するようなことがなく極めて作業性に優れる利点がある。
また取付穴に装着された釘打ち部材は取付穴に一体化し、この釘打ち部材を通して釘を打付けたとき、安定した外枠の固定が図れることになる。
ことに、釘の打込みを挿通孔を通して行うことから真直に打込める利点と同時に、この釘の打込みによって釘打ち部材の基体部を拡張させ、取付穴との密着度を増し、一体化が図れることから外枠を一層安定した状態で取付台枠に固定できることになる。
【発明を実施するための最良の形態】
【００３１】
次に、本発明の実施の形態を図示する実施例に基づき説明し、その特徴とするところを明らかにする。尚、各実施例につき同一の部所については同一の符号を付して重複する部分についての説明を省略することにする。
【実施例１】
【００３２】
図１〜図８は本発明に係る遊技機の取付構造を具体的に説明する第１の実施例であり、図１は機構部品類を装着する前枠(内枠)を外したパチンコ遊技機の外枠について示す斜視図で、図２は要部の拡大分解斜視図、図３は図２の拡大平面図、図４は図２の略中央部で断面した縦断面図であり、図５は外枠を遊技機の取付台枠に釘止めする前の要部の拡大縦断右側面図、図６は遊技機取付台枠に対する外枠の取付状態を説明する要部を中心に断面とした縦断右側面図である。
【００３３】
図面の符号１は、アルミ合金を材料にダイキャスト製法により一体成形したパチンコ遊技機の外枠であり、１ａはこの外枠の上枠板であり、１ｂは下枠板、１ｃ及び１ｄは外枠の左右の縦枠板である。そして、１ｅは外枠を補強する下枠板１ｂの上部に沿って併設した補強枠で、１ｆはこの補強枠１ｅと下枠板１ｂとの間に渡した幕板である。尚、図１は外枠１の背面側からの斜視図とすることから、上記左右の縦枠板１ｃと１ｄが逆に表れている。
さて、上記上枠板１ａ及び左右の縦枠板１ｃ，１ｄには内面側の適所に補強のリブ２‥‥が設けてあり、更にこれらの枠板１ａ，１ｃ，１ｄと補強枠１ｅの前縁部には同じく補強のためのリブ３が設けてある。
【００３４】
上下及び左右の枠板１ａ，１ｂ，１ｃ，１ｄによって矩形に形成される外枠１は、上記上枠板１ａの前縁部左端（図１において上枠板１ａの右端）に上部ヒンジ片４を、補強枠１ｅの同じく前縁部の左端には下部ヒンジ片５を突設して相互に向い合せとなるようにしてあり、この両ヒンジ部４，５によって図示しない前枠（内枠）を開閉自由に枢着支持できるようにしてあり、右の縦枠板１ｄ（図１において左側の縦枠板）の内面には上記開閉される前枠の自由端側の施錠装置の鍵を受ける係止当接部６，６が上下に設けてある。
【００３５】
図中７及び８は、上記上下の枠板１ａ，１ｂに貫通するように開設した取付穴で、９はこの取付穴７，８に装着する釘打ち部材、１０はこの釘打ち部材９を通して後述する遊技機の取付台枠に打付ける止め付けの釘である。
取付穴７，８はこの実施例では釘打ち部材９の形状と一致するように各枠板１ａ，１ｂの左右方向に向けて長さを有する長方形の透孔として形成してあり、この取付穴７，８の外側の縁部、つまり枠板の外面側の縁に一段拡張する係止のための拡張段部１１が形成してある。
この取付穴７，８を形成する上下の枠板１ａ，１ｂの内面側には、穴を囲んで肉厚部１２を形成し、枠板の強度を補強するようにしてある。
【００３６】
釘打ち部材９は、所要の剛性と弾性を有した合成ゴムを素材に成形してあり、基体部９ａを前記取付穴７，８の内形、つまり内壁の形状に合せて断面が長方形となる短尺な柱状に形成してあり、先端側の周面に押込み量を規制する鍔部１４が設けてある。
この釘打ち部材９は、基体部９ａの長さを上下の枠板１ａ，１ｂの板厚、更に言えば肉厚部１２を含む板厚より僅かに大きな長さに形成し、前記取付穴７，８に装着したとき先端側の前記係止部１３が前記拡張段部１１に係合する一方、鍔部１４が枠板の内面に係止できるようにしてある。
そして、この基体部９ａには前記釘１０を通すための挿通孔１５が基端側端面１６から先端側端面１７に向けて４個貫通するように形成してある。
【００３７】
挿通孔１５は、この実施例では図示するように４個が等間隔を置くようにして形成してあり、それぞれは釘１０の軸部の直径より小径に形成して釘１０の先端を無理に押込むとき挿し込みが可能にしてある。そして、ここにおける４個の取付穴１５は全体を１組としたとき、基体部９ａの中心位置に対して僅かに片寄る位置に開設して基体部の両短辺間において非対称となるよう形成してある。
つまり、この関係を図８についてみると、左方の取付穴１５と左方の短辺（ここでは係止部１３の短辺１３ａを代用する。）との距離が、右方の取付穴１５と右方の短辺（同じく係止部１３の短辺１３ｂ）との距離より小さくして僅かに４個の取付穴の全体が左方に片寄った状態で穿たれるようにしてあるのである。これによって基体部９ａの向きを１８０度変更したとき、つまりいずれかの取付穴１５を中心にして基体部９ａを１８０度回転させたとき、それぞれの取付穴１５の位置が重なることがないようにしてあるのである。
【００３８】
この様に構成してなる本発明取付構造は、先ず外枠１を形成する段階で上下の枠板１ａ，１ｂのそれぞれに前記取付穴７，８を形成しておくことになる。この場合、外枠１をダイキャスト製法によって形成する場合は、一体に形成することが便利となるが、外枠の成形後、後加工によって形成するようにしても構わない。
この取付穴７，８に対して前述したように釘打ち部材９を装着し、この状態で遊技機の取付台枠１８の上下の枠板１９，２０間に持込み、釘１０の打付けによる固定を行うことになる。
【００３９】
釘打ち部材の装着は、上下の枠板１ａ，１ｂに形成する取付穴７，８に対して内面側から押込むことによって行うことになる。この装着作業では、基体部９ａの基端側を指で押圧し、無理に押込んで先端側の係止部１３を素材の弾性を利用して変形させ縮径させる。そして、穴を通過した時点で復元力で原形に戻し、拡張段部１１に係合させる。これによって引抜き方向への移動を拘束するのである。
これと同時に、基端側に設ける鍔部１４を枠板の各内面に当接させ、前記係止部１３と協同して上記釘打ち部材９の取付穴７，８への押込みと同時に任意に脱落しない状態に装着するのである。
【００４０】
外枠１は、上述の如く各取付穴７，８に釘打ち部材９を装着した状態で取付台枠１８に持込むことになる。
この場合、釘打ち部材９の挿通孔１５に釘１０の先端を押込んで植立した状態にして持込んでも、また取付台枠１８に外枠１を挿し入れたのち、各釘打ち部材の挿通孔１５に釘１０を立てるようにしてもよく、その選択は自由である。釘１０は、挿通孔１５に押込むことで簡単に起立した状態で保持されることになり、釘の打込みはハンマーでこの釘の頭部を叩打することによってそのまゝ取付台枠の上下の枠板１９，２０に打付けることができる。
【００４１】
尚、前述したように遊技機の取付角度の調整作業の関係から最初に下枠板１ｂの固定が行われ、次に上枠板１ａの固定が行われるが、外枠の傾きの調整に当って下枠板１ｂがこじられたとき、本発明では釘１０を受ける釘打ち部材９が素材の弾性によって変形することが可能であることから、これを吸収することになり釘１０に対する負荷を減じて固定状態をしっかり確保することになる。
また、釘１０の打付けを釘打ち部材９を介して挿通孔１５を案内に行うことによって真直に打込むことができ、従って釘の打ち損じを回避することができ、確実な取付けと、作業の効率化が図られることになる。
【００４２】
ところで、釘１０の打込みに当って、この釘１０は挿通孔１５を拡張することから釘打ち部材９の基体部９ａを膨張させることになり、その周面を取付穴７又は８の内壁面に密着させて釘打ち部材９と枠板１ａ，１ｂとの一体性が図られることになることから釘１０による枠板の固定がしっかり行われることになる。
そして、この釘１０の打込みによって釘の頭部が釘打ち部材９に接近する位置に達したとき、この頭部を弾性を有する釘打ち部材が直接受けることになるため衝撃を緩和することができ、同時にハンマーと枠板との衝突を回避することから外枠１の破損を有効に回避することができる。
【００４３】
また、本実施例の取付構造においては、釘１０の打付けに当って釘打ち部材９に形成する複数の挿通孔１５のいずれかを選択することができるため、遊技機の取替に当って外枠９を再使用する場合、先に使用した挿通孔１５の使用を避けることで、釘穴跡に釘を打付けることを回避することができる。
また上記挿通孔１５の選択の外、本実施例では、取付穴７，８の形状と釘打ち部材の基体部９ａの断面形状を同一に揃えて釘打ち部材９の向きを１８０度変えても装着できることとしていることから、この向きの変更によって挿通孔１５の位置をずらすことができるものとなっている。従って、再三に亘って釘打ち部材９を使用する場合でも先に打付けた釘穴跡を避けて釘の打込みを行うことが可能であり、常に新しい安定した位置に止付けることができることになる。
【実施例２】
【００４４】
図９は、前記釘打ち部材９に形成する挿通孔１５を１個とした場合の第２の実施例である。この実施例は上記挿通孔１５を１個とすることを除いて、全て前記実施例１に示す釘打ち部材９と同一のものとしており、また外枠１の上下の枠板１ａ，１ｂに対する装着も同一のものとしている。
ここに示す釘打ち部材９は、１個の挿通孔１５を基体部９ａの中心位置を避けて図面において左方にずらして形成してあり、これによって釘打ち部材９の向きを１８０度回転変更したとき、挿通孔１５の位置が重ならないようにしてある。
従って、釘打ち部材９に形成される挿通孔１５は１個であるが、向きを変えることで２つの位置に打ち付け使用することが可能になっている。
【００４５】
尚、この実施例でも、前記実施例１と同様に釘打ち部材９を断面長方形状に形成しているが、この形状は前述した通り取付穴７，８と適合させる上で決められているもので、例えば取付穴７，８を正方形の透孔として形成した場合は、これに合せて基体部９ａの断面形状を正方形にすることになる。
また、基体部９ａの先端側周面の係止部１３を基体部の断面形状に合せて周面全周に亘って張り出す鍔形に形成しているが、取付穴７，８に対する挿入性を考慮して複数の突起から構成して変形しやすいものとしてもよい。勿論、この係止部１３の縁を面取りして挿入性を図ることは実施を容易にすることになる。
【実施例３】
【００４６】
次に、図１０，図１１は釘打ち部材９と、この釘打ち部材を嵌合する枠板１ａ，１ｂに形成する取付穴７，８の変形例を示す第３の実施例である。
この実施例は、図示するように外枠１の上枠板１ａ（下の枠板１ｂにおいても同じ）に形成する取付穴７（８）を外に向って縮径するテーパ形の角穴としたことに伴わせて釘打ち部材９の基体部９ａの外形を台形状、角錐台形状に形成した例である。
そして、ここにおける上記基体部９ａは、押込み方向の長さ(台形における高さ)を取付穴７の深さより大にしてあり、基端１６側の端面を押圧して先端１７側の係止部１３を取付穴の外面側の縁に形成する拡張段部１１に掛け止め装着したとき、基端１６が上枠板１ａの内面から突き出た状態で装着されるようにしてある。
【００４７】
テーパ形の取付穴７に台形状をなす釘打ち部材９を押し入れ、基体部９ａの先端１７の係止部１３を外面側に貫いて拡張段部１１に掛け止め装着すると、取付穴７のテーパ形の内壁と基体部９ａの周面が密着して一体化することになる。
従って、この状態において挿通孔１５を通して釘１０を打付けると、挿通孔１５の拡張に伴って基体部９ａが取付穴７の内部で膨張し、前記密着状態を一層高めることになることから釘１０による固定を確実にすることになる。
【００４８】
そして、この場合釘打ち部材は取付穴７のテーパ面によって受けられることから釘１０の強い打込みを受けても突き抜けることがなく安定し、しかも基体部９ａの基端１６が枠板１ａの内面から浮き出た状態にあるため、釘１０の頭部を釘打ち部材に当設するまで完全に打ち付けた場合でもこの基端１６にハンマーを受けることから直接上枠板１ａに衝撃を加えることがない。
【実施例４】
【００４９】
図１２，図１３は、前記釘打ち部材９の更なる変形例を示す第４の実施例である。ここでは基体部９ａの先端１７側の周面に形成する係止部１３に代えて基体部９ａの基端１６側の周面に形成する鍔部１４から先端側に向けて弾性係止片２１を延設した例である。
各弾性係止片２１は先端部に外向きの係止爪２２を有し、取付穴７又は８に装着する際一旦この弾性係止片を取付穴７の内壁で内側に撓ませ、取付穴７から突き出たところで原形に復元させて前記係止爪２２を拡張段部１１に掛止め装着するものとしている。
【００５０】
前記実施例において形成する係止部１３に代えて弾性係止片２１としたのは、取付穴７（又は８）に対する挿入性を向上させるためで、片を素材の弾性を利用して撓ませ、より容易に取付穴７（又は８）を通過させて前記係止爪２２を上枠板１ａの外面側に抜くことができるようにしてある。
尚、ここでは弾性係止片２１を基体部９ａを囲んで４方向に設けているが、この内対称の位置に設けられる２個であっても充分係止力を発揮することができ、安定的に釘打ち部材９の装着状態を維持することができる。
【００５１】
また、この実施例では上記弾性係止片２１を前記鍔部１４から延設する形態としているが、釘打ち部材９の基体部９ａの外側面から切り起すことによって形成するようにしてもよい。いずれの場合も釘打ち部材９を装着する際に係止片２１のばね性を利用して取付穴に対する挿入を容易にすることにあり、これらについては設計者において自由に選択することができる。
【００５２】
以上、本発明に係る遊技機の取付構造を各実施例に基づき説明したが、外枠１に形成する取付穴７又は８に対して釘打ち部材９の装着が容易であること、装着した状態において容易に脱落することがないことから、外枠１の取付けにおいて釘の打付け作業が極めて容易になる。
そして、この釘打ち部材９が合成ゴム乃至合成樹脂材の如く所要の剛性と弾性を有した素材によって形成されるものであることから、釘１０の打込みによって破損する危険がなく、従って作業の途中で釘の打ち直しをすると言ったことがなく、また再使用ができる利点がある。
【００５３】
また釘打ち部材９は弾性による衝撃の吸収力があるため釘１０の打込みの衝撃を外枠１に直接伝えることがなく、同時にこの釘の打込みによって膨張する力を取付穴７，８との密着力に変換することから一体性を高め、間接的な釘の止め付けでありながら取付台枠１８に外枠１をしっかり固定することができることになる。
【００５４】
そして、釘打ち部材９を介して打付けられる釘１０は挿通孔１５を通すことによって仮係止しておくことが可能であり、従って、釘１０を手で支える必要がなく、安全に且つ迅速に打込むことができ、また挿通孔１５を案内とすることから真直に確実に取付台枠１８に打付けることができる。
【００５５】
また、この釘打ち部材９は取付穴７，８に装着したまゝにおいて、また取り外して他の外枠に装着することによって再使用が可能であると共に、基体部９ａに複数の挿通孔１５を形成することによって、或はまた取付穴７，８に対する取付けの向きを変更することによって先に打付けた釘の釘穴跡に後から打つ釘を打込むことを避けることができることから常に有効な釘の打付けが可能である。
勿論、本発明の上記釘打ち部材９は射出成形等によって一体成形が可能であるので量産に適し、廉価に提供することができる。
【図面の簡単な説明】
【００５６】
【図１】外枠を背面側からみた斜視図。
【図２】要部の拡大分解斜視図。
【図３】図２の平面図。
【図４】図３のＡ−Ａ線断面図。
【図５】遊技機の取付台枠に対する外枠の取付を説明する要部の拡大縦断右側面図。
【図６】遊技機の取付台枠に対し外枠を固定した状態を説明する要部の拡大縦断右側面図。
【図７】外枠の固定状態を示す要部の拡大縦断面図。
【図８】釘打ち部材の拡大斜視図。
【図９】実施例２における他の釘打ち部材の拡大斜視図。
【図１０】実施例３における他の釘打ち部材の拡大斜視図。
【図１１】実施例３における外枠の固定状態を説明する要部の拡大縦断右側面図。
【図１２】実施例４における他の釘打ち部材の拡大斜視図。
【図１３】実施例４における外枠の固定状態を示す要部の拡大縦断面図である。
【符号の説明】
【００５７】
１        外枠
１ａ      上枠板
１ｂ      下枠板
７，８    取付穴
９        釘打ち部材
９ａ      釘打ち部材の基体部
１０      止付けのための釘
１１      拡張段部
１２      肉厚部
１３      係止部
１４      鍔部
１５      挿通孔
１６      基体部の基端
１７      基体部の先端
１８      遊技機の取付台枠
１９      取付台枠の上枠板
２０      取付台枠の下枠板
２１      弾性係止片
２２      係止爪
【図１】
2008000377.tif 000003
【図２】
2008000377.tif 000004
【図３】
2008000377.tif 000005
【図４】
2008000377.tif 000006
【図５】
2008000377.tif 000007
【図６】
2008000377.tif 000008
【図７】
2008000377.tif 000009
【図８】
2008000377.tif 000010
【図９】
2008000377.tif 000011
【図１０】
2008000377.tif 000012
【図１１】
2008000377.tif 000013
【図１２】
2008000377.tif 000014
【図１３】
2008000377.tif 000015